(57)【要約】【課題】  金属感が現れて、高級感が得られるソーラセル用時計文字板を提供する。【解決手段】  鏡面２１ａ又は凹凸模様を上面に有するプラスチック基板２１又はガラス基板の上面に金属蒸着膜２２、あるいは金属メッキ膜２３の少なくとも１種からなる金属被膜を設けた後、機械加工又はエッチングを施して前記金属被膜の一部を除去し、該金属被膜の除去部分に所要の透過率を損ねない範囲内で透過性を有する装飾部材２４を設ける。装飾部材は樹脂、セラミック、貝、貴石、ガラスなどからなる。【選択図】        図１
2005069755.tif 000002
【特許請求の範囲】
【請求項１】
鏡面又は凹凸模様を上面に有するプラスチック基板又はガラス基板の上面に金属蒸着膜、あるいは金属メッキ膜の少なくとも１種類からなる金属被膜を設けた後、機械加工又はエッチングを施して前記金属被膜の一部を除去し、該金属被膜の除去部分に所要の光透過率を損ねない範囲内で光透過性を有する装飾部材を設けたことを特徴とする時計用文字板。
【請求項２】
前記装飾部材は樹脂，セラミック，貝，貴石，ガラスなどからなることを特徴とする請求項１に記載の時計用文字板。
【請求項３】
前記装飾部材を設けた部分の基板の裏面に、又は裏面全体に半透過反射膜を設けたことを特徴とする請求項１又は２に記載の時計用文字板。
【請求項４】
前記金属被膜と装飾部材を設けた基板の全面又は一部に透明樹脂膜を設けたことを特徴とする請求項１乃至３のいずれかに記載の時計用文字板。
【発明の詳細な説明】
【技術分野】
【０００１】
本発明は、時計用文字板、更に詳しくはソーラセル(太陽電池）付時計用文字板に関する。
【背景技術】
【０００２】
ソーラセル付時計用文字板は、受光した光を透過させてその下面側に配設したソーラセルに入射させて発電機能を起こさせる。このように、ソーラセル付時計用文字板は光の透過性が要求されることからプラスチック材が従来から多く使われている。プラスチック材であると光の透過性が得られる外に、コスト的に安くできること、塗装や印刷などで装飾が容易に施すことができることなどの利点があげられる。
【０００３】
一般的に、携帯時計に用いられるソーラセル（太陽電池）は、図４の平面図に示すように、４等分割された４面（Ａ１、Ａ２、Ａ３、Ａ４）に設けられていて、文字板の下面に配設される。そして、文字板を透過した透過光量が４面（Ａ１、Ａ２、Ａ３、Ａ４）のそれぞれに均一量入射するのが最も発電効率を高める。このため、このソーラセルの上面側に配設される文字板は、ソーラセルの４面（Ａ１、Ａ２、Ａ３、Ａ４）に対応する部分、即ち、１２−６時ラインと９−３時ラインで４等分割した４面がそれぞれ均一量の光を透過するよう設計することが必要とされている。
【０００４】
近年のソーラセルは、発電効率が向上されて、１０ｍｍ四方の大きさでも十分に機能を果たすものが現れてきている。また更に、文字板の光透過率も１５％以上有すれば十分に満足する発電が得られるものも現れてきている。
【０００５】
しかしながら、ソーラセルは独特の濃紫色を有しており外観的に良い感じを与えない。そこで、この濃紫色が時計文字板の上面側より視認されにくくするために、従来から文字板に色々な工夫を施してきた。プラスチック材で形成した文字板は印刷や塗装などができることから、これらの方法で着色や装飾などを施してソーラセルの濃紫色を和らげることを行ってきた。しかしながら、プラスチック材で作った文字板は金属感や金属光沢感が得られず、どうしても高級感に欠けるものとなっていた。
【０００６】
そこで、外観上、金属感を出現させると共に、下面に配設したソーラセルの有する独特の濃紫色が見えないようにする技術の一つとして、下記の特許文献１に示された技術がある。
【０００７】
【特許文献１】特開２００３−６６１６２号公報
【０００８】
図５は上記特許文献１で示されたソーラ時計用文字板の要部断面図を示したものである。尚、ここでは文字板のみを示し、他の構成部品は省略してある。この文字板４は、ストライプ状に凹凸模様１ａを上面に形成した透過性部材１と、透過性と反射性の両方の性質を持つ半透過・反射膜である金属蒸着膜２と、平滑面を有する透明保護膜３とを積層した構成を取っている。
【０００９】
ここで、透過性部材１はポリカーボネイト樹脂からなり、ストライプ状の凹凸模様１ａも含めて射出成形で形成している。金属蒸着膜２は真空蒸着法などで形成するが、光透過性と反射性の両方の性質を持たせるために金属蒸着の膜厚を５０〜２００Åの範囲に形成している。そして、使用する金属としてはアルミニウム、クロム、ニッケル、銀、金などから選択している。透明保護膜３はアクリル樹脂を塗装などで形成して、ラッピングによって表面を平滑面に仕上げている。
【００１０】
上記の構成を取る文字板４は、透過性と反射性の両方の性質を持つ金属蒸着膜２によって、入射光の一部は透過して文字板の下面に配設したソーラセルに入射して発電作用を働かせる。また、入射光の他の一部は反射して文字板４の外表面に放射される。更に、ソーラセルに入射した光の一部はそこから反射されて金属蒸着膜２を透過して文字板４の外表面に放射される。金属蒸着膜２から反射して放射された光やソーラセルからの反射光で金属蒸着膜２を透過して放射された光などから金属蒸着の金属感が視認されるようになる。
【００１１】
また、ソーラセルからの反射光はストライプ状の凹凸模様１ａと金属蒸着膜２との境界面で屈折を起こす。しかも、境界面が凹凸しているので屈折方向が一様でなく、様々な方向に光が分散する。更にまた、金属蒸着膜２を透過した光は金属蒸着膜２と透明保護膜３との境界面で屈折を起こす。そして、これらの屈折、分散が作用してソーラセルの濃紫色が和らいだ状態で視認されるようになる。
【発明の開示】
【発明が解決しようとする課題】
【００１２】
しかしながら、金属蒸着膜２に光透過性をも持たせることから上記に述べた如くに非常に薄く形成している。従って、金属感といっても金属色が薄く見える程度で、金属自体が持っている独特の金属的質感の得られる外観色調と云うものは現れず、金属感を得るに乏しいものとなっていた。
【００１３】
本発明は、上記の課題に鑑みて成されたもので、より金属感が現れて、高級感が得られる文字板を得ることを目的とするものである。
【課題を解決するための手段】
【００１４】
上記目的を達成する手段として、本発明の請求項１に記載の文字板は、鏡面又は凹凸模様を上面に有するプラスチック基板又はガラス基板の上面に金属蒸着膜、あるいは金属メッキ膜の少なくとも１種類からなる金属被膜を設けた後、機械加工又はエッチングを施して前記金属被膜の一部を除去し、該金属被膜の除去部分に所要の光透過率を損ねない範囲内で装飾部材を設けたことを特徴とするものである。
【００１５】
また、本発明の請求項２に記載の文字板は、前記装飾部材が樹脂，セラミック，貝，貴石，ガラスなどからなることを特徴とするものである。
【００１６】
また、本発明の請求項３に記載の文字板は、前記装飾部材を設けた部分の基板の裏面に、又は裏面全体に半透過反射膜を設けたことを特徴とするものである。
【００１７】
また、本発明の請求項４に記載の文字板は、前記金属被膜と装飾部材を設けた基板の全面又は一部に透明樹脂膜を設けたことを特徴とするものである。
【発明の効果】
【００１８】
本発明の文字板は、請求項１記載において、鏡面又は凹凸模様を上面に有するプラスチック基板又はガラス基板の上面に金属蒸着膜、あるいは金属メッキ膜の少なくとも１種からなる金属被膜を設けている。金属被膜の膜厚を厚くして金属感を十分に出現させている。この金属被膜は金属感を出現させるために設けるもので、金属感が十分視認できれば多少の透過性を有していてもかまわない。また、鏡面又は凹凸模様を施した基板を用いることによって文字板に装飾性が現れてくる。凹凸模様としては色々な模様が考えられる。例えば、ストライプ模様、旭光模様、サークル模様、格子模様、網目模様、梨地模様，ピアジェカット模様などの幾何学模様などがある。従って、金属感を持って装飾豊かで、バリエーション豊富な文字板表面が得られる。また、金属被膜の一部を除去してその部分に透過性を持たせ、更に、その除去部分に所要の透過率を損ねない範囲内で装飾部材を設けている。透過率は全体で所要の透過率を確保すれば良い訳であるが、金属被膜の部分は金属感を出させるために厚くしているので透過率は低い。従って、所要透過率のおおかたは装飾部材を設けた部分で確保することになる。透過性の装飾部材を設けることによって、装飾性を高めると共に所要の透過率を確保する。
【００１９】
また、本発明の文字板は、請求項２記載において、装飾部材に樹脂、セラミック、貝、貴石、ガラスなどを用いている。樹脂は樹脂塗料を直接用いる場合、プラスチックフィルムやプラスチック板を用いる場合などが選択できる。色々な着色が簡単にでき、また、各種色付け模様なども形成できる。そして、形成方法が簡単である。セラミックは透過率も高く、高級感が現れる。貝は独特な光輝感が現れて高級感が現れる。白蝶貝やアワビ貝などが選択できる。貴石はサファイア、ルビー、メノウ、大理石等から適宜選択できる。何れも高級感をもたらす。ガラスは曇りガラス，模様ガラス，着色ガラスなどが選択できる。これらの装飾部材を用いることによりデザイン及びカラーバリエーションを豊かにし、高級感をもたらす効果が得られる。
【００２０】
また、本発明の文字板は、請求項３記載において、装飾部材を設けた部分の基板の裏面に半透過反射膜を設けている。半透過反射膜として白色塗料膜などが好適に利用できるが、白色塗料膜などがあると光反射によって装飾部材が鮮明に且つ綺麗に見えるようになる。例えば、貝を用いると貝の白さが増すと共に光輝さが増して現れる。綺麗さと共に高級感を増す。
【００２１】
また、本発明の文字板は、請求項４記載において、金属被膜と装飾部材を設けた基板の全面又は一部に透明樹脂膜を設けている。透明樹脂膜は金属被膜や装飾部材の保護膜としての働きを成すと共に、透明樹脂膜の表面を平滑面に仕上げると光沢が現れて、金属被膜の色調や凹凸模様、装飾部材などが綺麗に見えるようになる。透明樹脂膜は全面に設けても良いし、金属被膜部分の所や装飾部材部分の所だけに設けても良い。
【発明を実施するための最良の形態】
【００２２】
以下、本発明の最良の実施形態を図１、図２、図３を用いて説明する。図１は本発明の第１実施形態に係る時計用文字板の要部断面図、図２は本発明の第２実施例に係る時計用文字板の要部断面図、図３は本発明の第３実施例に係る時計用文字板の要部断面図を示している。
【００２３】
図１より、本発明の第１実施形態に係る時計用文字板２０は、射出成形で形成した透明なプラスチックの基板２１の外周側の上面にはＣｒ蒸着膜２２とＡｕメッキ膜２３の積層膜を設けている。また、基板２１の内周側には凹部２１ｄが形成されていて、その凹部２１ｄに貴石の装飾部材２４が接着剤を介して貼付けられている。そして、上面全面に渡って透明樹脂膜２５が設けられている。尚、時計用文字板２０は透明樹脂膜２５の上面に時字などの指標が貼付けられて完成になるが、ここではその指標は省略してある。
【００２４】
プラスチックの基板２１は、中心に指針の取付孔２１ａを形成しており、上面は鏡面２１ｄに仕上げられている。また、裏面は微小の凹凸がある梨地模様２１ｃが形成されている。射出成形で基板２１を形成し、鏡面２１ｄや梨地模様２１ｃは金型から転写して得るＣｒ蒸着膜２２は真空蒸着方法で形成する。膜厚は５００〜１０００Å位の範囲で設ける。Ａｕメッキ膜２３は無電解メッキ法で行う。厚みは０．２〜０．５μｍ程度である。下地が鏡面になっているので光沢のある金色のメッキ膜が得られる。
【００２５】
次に、基板２１の内周側にある凹部２１ｄは基板２１を切削加工でＣｒ蒸着膜２２とＡｕメッキ膜２３の積層した金属被膜を除去して形成する。この凹部２１ｄに貴石の装飾部材２４を接着剤を介して貼付ける。貴石は本実施形態においてはルビーを用いており、貴石としては、この他に、サファイヤ、メノウ、大理石などの石類も使用できる。貴石には透過性が必要なので薄く研磨して使用するが、本実施形態の場合は文字板２０の全体の透過率が少なくとも２５％確保できるように貴石の厚みを設定している。透明樹脂膜２５は塗装によって形成している。そして、上面はラッピングによって平滑面に仕上げている。透明樹脂膜２５はアクリル樹脂やウレタン樹脂などが選択でき、吹き付け塗装、スクリーン印刷など周知の方法で形成する。平滑な透明樹脂膜２５を設けることにより、積層した金属被膜や貴石の保護の役目を成すと共に光沢ある文字板表面が得られる。また、金属被膜や貴石の色調などが鮮明に視認できるようになる。
【００２６】
上記構成で形成した時計用文字板２０は光透過率が略２５％近くあり、ソーラセルの発電に影響のない透過光が得られている。Ｃｒ蒸着膜２２とＡｕメッキ膜２３の積層膜は比較的厚い膜になっているのでこの部分での光の透過は殆どない。従って、所要の透過光は貴石２４の部分から得ている。このように形成した文字板２０は金の金属感が強く得られる。また、ソーラセルの濃紫色は、基板２１の裏面に微小な凹凸ある梨地模様２１ｃによりソーラセルからの反射光が散乱し、濃紫色が和らげられる。更にまた、ルビーの色調にも消されて殆ど目立たなくなる。これにより、ルビーの色感がはっきり現れるようになり、全体的に貴金属色と貴石色が現れて高級感を感じさせる文字板となる。
【００２７】
次に、本発明の第２実施形態に係る時計用文字板を図２を用いて説明する。この時計用文字板３０は上面にピアジェカットを施した凹凸模様３１ｂを有するプラスチックの基板３１を使用している。ピアジェカットは成形時金型から転写して形成する。そして、基板３１の外周側にはＡｇ蒸着膜３２を設けている。また、内周側には、切削加工で設けた凹部３１ｄの所に貝の装飾部材３４を接着剤を介して貼付けてある。また、貝の装飾部材３４とＡｇ蒸着膜３２の上面には平滑面を有する透明樹脂膜３５を設けている。更にまた、基板３１の裏面で装飾部材３４の真下の位置に当たる部分に白色の半透過反射膜３６を設けている。
【００２８】
ここで、プラスチックの基板３１は射出成形で形成するが、ピアジェカットの凹凸模様
３１ｂは金型から転写して成形する。Ａｇ蒸着膜３２は文字板全体を白色系でまとめる目的からＡｇ蒸着を選択している。このＡｇ蒸着膜３２は１０００Å前後の厚みに形成しているので殆ど光は透過しない。装飾部材３４の貝は白蝶貝やアワビ貝などが選択できる。ここでの貝は鱗片状の貝を透明な樹脂に混ぜ合わせて形成したシートになったものを使用している。この貝のシートは０．１ｍｍの厚みで略５０％位の透過率を持っている。透過率を高めたい場合はシートを研磨して更に薄くして使用することができる。半透過反射膜３６は透明な樹脂に白色顔料を混ぜ合わせて生成したインクを用いてスクリーン印刷で形成している。この半透過反射膜３６は透過性を持たせるために、白色顔料をバインダーの樹脂に対して７％重量比位に少し少な目に配合し、５〜１０μｍの厚みに形成すると比較的高い透過性の反射膜が得られる。この白色の半透過反射膜３６は、本実施の形態では貝の真下に当たる基板３１の裏面の部分にのみ設けたが、裏面全体に設けても良いものである。金属被膜に若干の透過性が有る場合にこの半透過反射膜から反射される反射光によって金属色に鮮明さが現れるようになるからである。平滑面を有する透明樹脂膜３５は前述の第１実施形態での透明樹脂膜２５と同じ仕様で形成する。
【００２９】
上記の構成で形成した時計用文字板３０は、半透過反射膜３６の作用を受けて白さが良く現れて貝独特の光輝さが綺麗に現れてくる。更に、Ａｇ蒸着膜３２の貴金属色とマッチして全体的に金属感を伴って高級感が出現する。また、ソーラセルの濃紫色も半透過反射膜３６や貝に消されて殆ど目立たなくなる。更にまた、ピアジェカットの凹凸模様があることにより外観的なデザインも豊に感じる時計用文字板が得られる。
【００３０】
次に、本発明の第３実施形態に係る時計用文字板を図３を用いて説明する。この時計用文字板４０は、ブラスチックの基板４１の外周側に、前述の第１実施形態と同様に、Ｃｒ蒸着膜４２とＡｕメッキ膜４３を積層して設けている。また、切削加工して設けた基板４１の凹部４１ｄには、昇華性染料で画像を形成したプラスチックフィルムの装飾部材４４が貼付けてある。また、装飾部材４４の上には紫外線吸収剤を分散した透明樹脂膜４５を設けている。
【００３１】
プラスチックの基板４１は上面が鏡面４１ｂに成っており、射出成形で形成している。蒸着膜４２とＡｕメッキ膜４３は前述の第１実施形態と同様に同じ厚みに形成している。装飾部材４４である昇華性染料で画像を形成したプラスチックフィルムは、昇華性染料で画像を印刷した転写紙をプラスチックフィルム、例えばＰＥＴ（ポリエチレンテレフタレート）フィルム上に載置し、加熱の下で加圧することによって得られる。昇華性染料で描いた画像は高い透過率が得られる。また、画像自体も鮮明な画像が得られる。透明樹脂膜４５には紫外線吸収剤が分散している。昇華性染料は紫外線によって劣化するので、これを防止するために紫外線吸収剤を配合している。ここでの透明樹脂膜４５は装飾部材４４の上面にのみ設けている。
【００３２】
以上の構成を取る時計用文字板４０は金色の金属感が強く視認できる。また、ソーラセルの濃紫色もプラスチックフィルムの画像で和らげられて目立たなくなる。
【００３３】
以上３つの実施形態について説明したが、いずれも樹脂で成形したプラスチックの基板を用いた。ガラスの基板でも同様に使用することができる。透明なガラスは鏡面に近い形で仕上がっているので、その面を直接利用して光沢のある金属被膜を形成することができる。また、ガラスの場合はピアジェカットのような凹凸模様を形成するのは難しいが、梨地模様，格子模様，旭光模様などの模様はエッチング加工で形成することができる。また、切削加工は難しいので、エッチング加工で金属被膜を除去する方法を取る。更に凹部に削り取る場合も同様である。
【００３４】
また、本実施形態では、装飾部材として貴石、貝、プラスチックシートの３つを取り上げて説明した。装飾部材はこれに限らず、樹脂塗料を塗布または印刷して装飾部材として使用することもできる。また、セラミックやガラスなども装飾部材として使用することができる。
【００３５】
また、本実施形態では、装飾部材と金属被膜を設ける場所を大体同じ場所に設けて説明したが、特に限定するものではなく、文字板の外周側に装飾部材、内周側に金属被膜の配置にしても良い。また、また、中間部位当たりにリング状に装飾部材を配置しても良いものである。
【００３６】
また、本実施形態では、金属蒸着膜としてはＣｒ蒸着膜とＡｇ蒸着膜、金属メッキ膜としてはＡｕメッキ膜をあげて説明したが、金属蒸着膜や金属メッキ膜は決められた仕様に基づいて最良のものを選択すれば良い。また、金属蒸着膜だけで十分なもの、金属メッキ膜も必要なものなどは仕様に基づいて最良のものを選択するのが良い。
【００３７】
以上述べた構成を取ることにより、金属感が十分現れた時計用文字板を得ることができる。また同時に、ソーラセルの濃紫色は和らいで目立たなくなると共に装飾部材の色感が現れて高級感が現れてくる。施す模様や設ける装飾部材によって色々豊富なデザインバリエーションを得ることができる。
【産業上の利用可能性】
【００３８】
本発明はソーラセルあるいは電波調整式チューナーを用いた時計用文字板に好適に利用できるが、エレクトロルミネッセンスを用いた時計用文字板としての利用も可能性がある。
【図面の簡単な説明】
【００３９】
【図１】本発明の第１実施形態に係る時計用文字板の要部断面図である。
【図２】本発明の第２実施形態に係る時計用文字板の要部断面図である。
【図３】本発明の第３実施形態に係る時計用文字板の要部断面図である。
【図４】ソーラセルの平面図である。
【図５】特許文献１によって示されたソーラセル用時計文字板の要部断面図である。
【符号の説明】
【００４０】
２０、３０、４０    時計用文字板
２１、３１、４１    基板
２１ｂ、４１ｂ      鏡面
３１ｂ              凹凸模様
２１ｃ              梨地模様
２１ｄ、３１ｄ、４１ｄ    凹部
２２、４２          Ｃｒ蒸着膜
２３、４３          Ａｕメッキ膜
３２                Ａｇ蒸着膜
２４、３４、４４    装飾部材
２５、３５、４５    透明樹脂膜
３６                半透過反射膜
【図１】
2005069755.tif 000003
【図２】
2005069755.tif 000004
【図３】
2005069755.tif 000005
【図４】
2005069755.tif 000006
【図５】
2005069755.tif 000007